(57)【要約】【課題】液晶ライトバルブを効率良く冷却できる光学装置を提供する。【解決手段】光学装置６は、複数の色光を色光毎に画像情報に応じて変調する複数の液晶ライトバルブ６１と、複数の液晶ライトバルブ６１をそれぞれ保持する複数のフレーム７と、隣接するフレーム７同士を連通させて接続する接続部８と、を備え、接続部８は、弾性部材を有して形成されている。【選択図】図２
2011075777.tif 000002
【特許請求の範囲】
【請求項１】
複数の色光を色光毎に画像情報に応じて変調する複数の液晶ライトバルブと、
前記複数の液晶ライトバルブをそれぞれ保持する複数のフレームと、
隣接する前記フレーム同士を連通させて接続する接続部と、
を備え、
前記接続部は、弾性部材を有して形成されていることを特徴とする光学装置。
【請求項２】
請求項１に記載の光学装置であって、
前記接続部は、前記フレームの端部を被嵌する被嵌部を有していることを特徴とする光学装置。
【請求項３】
請求項１または請求項２に記載の光学装置であって、
前記接続部には、内部の空間を仕切る仕切り壁が設けられていることを特徴とする光学装置。
【請求項４】
請求項１〜請求項３のいずれか一項に記載の光学装置であって、
前記接続部の外壁には、伸縮自在な蛇腹部が設けられていることを特徴とする光学装置。
【請求項５】
請求項１〜請求項３のいずれか一項に記載の光学装置であって、
前記接続部の外壁には、周囲の部分よりも肉厚の薄い薄肉部が、内部に流れる空気の方向と交差する方向に沿って設けられていることを特徴とする光学装置。
【請求項６】
光源と、
前記光源から射出された光束を変調する請求項１〜請求項５のいずれか一項に記載の光学装置と、
前記光学装置で変調された各色光を合成して画像光を形成する色合成光学装置と、
前記画像光を投写する投写光学装置と、
を備え、
前記光学装置は、前記色合成光学装置を囲むようにＵ字状に配置されていることを特徴とするプロジェクター。
【発明の詳細な説明】
【技術分野】
【０００１】
本発明は、液晶ライトバルブを有する光学装置、およびこの光学装置を備えたプロジェクターに関する。
【背景技術】
【０００２】
従来、光源から射出された光束を画像情報に応じて変調する液晶ライトバルブを備えたプロジェクターが知られている。液晶ライトバルブは、液晶パネルおよび偏光板を備え、フレーム等によって保持されている。
液晶ライトバルブは、光源からの光束が吸収されることによって発熱し、光学的性能が劣化する恐れがある。このため、空気を吹き付けて液晶ライトバルブを冷却する技術が提案されている（例えば、特許文献１参照）。
【０００３】
特許文献１に記載のプロジェクターは、３枚の液晶パネル（赤色光用、緑色光用、青色光用）、各液晶パネルに対応して配置された偏光板、３枚の液晶パネルで変調された各色光を合成するクロスダイクロイックプリズム、流路（仮に「流路壁」とする）、および冷却用ファンを備えている。
流路壁は、隣接する液晶パネルの間、および隣接する偏光板の間に設けられ、クロスダイクロイックプリズムと液晶パネルとの間、および液晶パネルと偏光板との間にそれぞれＵ字状の第１の流路、および第２の流路を形成している。冷却ファンは、この２つの流路の縁部である液晶パネルの側方に配置されている。そして、冷却ファンから吐出された空気は、この２つの流路に流れ、液晶パネル、偏光板が冷却されるようになっている。
【先行技術文献】
【特許文献】
【０００４】
【特許文献１】特開２００１−２８１６１３号公報
【発明の概要】
【発明が解決しようとする課題】
【０００５】
しかしながら、特許文献１に記載の技術は、液晶パネルおよび偏光板の固定方法が記述されていないが、記載されている図面によると、流路壁と液晶パネルとの間、および流路壁と偏光板との間に隙間が生じている。この隙間によって、冷却ファンから吐出された空気は、流路の外部に流出したり、乱流が発生したりすることによって、液晶パネルおよび偏光板を効率よく冷却できない恐れがある。また、特許文献１に記載の技術は、各液晶パネルの位置調整について記載されていないが、各液晶パネルで変調された各色光がずれ、合成される画像光の品質が劣る恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係る光学装置は、複数の色光を色光毎に画像情報に応じて変調する複数の液晶ライトバルブと、前記複数の液晶ライトバルブをそれぞれ保持する複数のフレームと、隣接する前記フレーム同士を連通させて接続する接続部と、を備え、前記接続部は、弾性部材を有して形成されていることを特徴とする。
【０００８】
この構成によれば、接続部は、隣接するフレーム間を連通させるので、この接続部を介して複数のフレームに効率良く空気を流通させることが可能となる。つまり、フレームに保持されている液晶ライトバルブを効率的に冷却することが可能となる。よって、光学装置は、温度上昇が抑制され、入射した色光を安定して変調することが可能となる。また、接続部は、弾性部材を有して形成され、伸縮が可能なので、接続部が接続された状態で各フレームを個別に移動し、フレームを支持する部材に固定することができる。つまり、各液晶ライトバルブの位置をそれぞれ調整することが可能となる。よって、光学装置は、各液晶ライトバルブにて変調された各色光の位置ずれを抑制し、各色光を合成する色合成光学装置に射出することが可能となる。
【０００９】
［適用例２］上記適用例に係る光学装置において、前記接続部は、前記フレームの端部を被嵌する被嵌部を有していることが好ましい。
【００１０】
この構成によれば、フレームの端部は、被嵌部によって被嵌されるので、フレームと接続部との間の空気の漏出が抑制される。よって、接続部に流れる空気をより効率的に利用して液晶ライトバルブを冷却することが可能となる。また、接続部に被嵌部を設けるという簡単な構成で、隣接するフレーム同士間を容易に接続することができるので、光学装置の製造工程の簡素化や部品費の低コスト化が図れる。
【００１１】
［適用例３］上記適用例に係る光学装置において、前記接続部には、内部の空間を仕切る仕切り壁が設けられていることが好ましい。
【００１２】
この構成によれば、接続部には、仕切り壁が設けられているので、接続部に流れる空気を分割し、液晶ライトバルブを構成する部材に分配して流通させることができる。よって、液晶ライトバルブをさらに効率良く冷却することが可能となる。
【００１３】
［適用例４］上記適用例に係る光学装置において、前記接続部の外壁には、伸縮自在な蛇腹部が設けられていることが好ましい。
【００１４】
この構成によれば、接続部は、蛇腹部を有しているので、部材の伸縮に加えて蛇腹部という形状による伸縮によってより柔軟性が増す。よって、接続部に接続されている各フレームを移動させることがさらに容易となるので、各液晶ライトバルブの位置調整作業が向上し、光学装置の製造工程の簡素化が図れる。また、光学装置を収納する際の省スペース化が可能となるので、在庫管理の効率化等が図れる。
【００１５】
［適用例５］上記適用例に係る光学装置において、前記接続部の外壁には、周囲の部分よりも肉厚の薄い薄肉部が、内部に流れる空気の方向と交差する方向に沿って設けられていることが好ましい。
【００１６】
この構成によれば、接続部は、薄肉部を有し、薄肉部は、接続部の内部に流れる空気の方向（以下、「流れ方向」という）と交差する方向に沿って形成されている。つまり、接続部は、部材の柔軟性に加え、流れ方向および流れ方向に対して交差する方向の柔軟性が増す。よって、各液晶ライトバルブの位置調整作業が向上し、光学装置の製造工程の簡素化が図れる。また、接続部の外壁の内面を滑らかに形成し、外面に凹部を形成することで薄肉部を形成できるので、内部に流れる空気の乱流等を抑制し、効率よく液晶ライトバルブを冷却することが可能となる。
【００１７】
［適用例６］本適用例に係るプロジェクターは、光源と、前記光源から射出された光束を変調する請求項１〜請求項５のいずれか一項に記載の光学装置と、前記光学装置で変調された各色光を合成して画像光を形成する色合成光学装置と、前記画像光を投写する投写光学装置と、を備え、前記光学装置は、前記色合成光学装置を囲むようにＵ字状に配置されていることを特徴とする。
【００１８】
この構成によれば、光学装置を赤色光、緑色光、および青色光の３つの色光に対応する液晶ライトバルブと、各液晶ライトバルブを保持するフレームと、隣接するフレーム同士を連通させて接続する接続部とを有して構成し、色合成光学装置を囲むようにＵ字状に配置させることができる。これによって、プロジェクターは、各液晶ライトバルブの効率的な冷却が可能となると共に、液晶ライトバルブにて変調された各色光のずれが抑制され、色合成光学装置にて品質の良好な画像光の形成が可能となる。よって、プロジェクターは、品質の良好な画像光の投射が可能となると共に、長寿命化が図れる。
【図面の簡単な説明】
【００１９】
【図１】本実施形態のプロジェクターの概略構成を示す模式図。
【図２】本実施形態の光学装置を模式的に示す断面図。
【図３】本実施形態の接続部の正面図。
【図４】本実施形態の接続部の断面図。
【図５】本実施形態のＩ字状態における光学装置を模式的に示す図。
【図６】変形例の接続部を模式的に示す図。
【図７】変形例の接続部を模式的に示す図。
【図８】変形例の支持部および光学装置を模式的に示す図。
【発明を実施するための形態】
【００２０】
以下、本実施形態に係るプロジェクターについて、図面を参照して説明する。
本実施形態のプロジェクターは、光源から射出された光束を画像情報に応じて変調して画像光を形成し、その画像光をスクリーン等に拡大投写する。
図１は、本実施形態のプロジェクターの概略構成を示す模式図である。
図１に示すように、プロジェクター１は、光源２１１を有する光学ユニット２、冷却ファン３１、排気ファン３２、導入ダクト４１、排気ダクト４２、外装を構成する外装筐体５、図示しない制御部、および光源２１１や制御部等に電力を供給する電源装置等を備えている。なお、以下において、説明の便宜上、プロジェクター１が設置された姿勢において、鉛直方向における上方向を「上方向」として記載する。
【００２１】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２２】
光学ユニット２は、略Ｌ字状に形成され、制御部による制御の下、光源２１１から射出された光束を光学的に処理し、画像情報に応じた画像光を形成して投写する。
図１に示すように、光学ユニット２は、光源装置２１、照明光学装置２２、色分離光学装置２３、リレー光学装置２４、光学装置６、色合成光学装置としてのクロスダイクロイックプリズム２５、投写光学装置としての投写レンズ２６、支持部２７、およびこれらの光学部品を所定位置に配置する光学部品用筐体３０を備える。
【００２３】
光源装置２１は、超高圧水銀ランプやメタルハライドランプ等からなる放電型の光源２１１およびリフレクター２１２等を備える。そして、光源装置２１は、光源２１１から射出された光束をリフレクター２１２によって射出方向を揃え、照明光学装置２２に向けて射出する。
【００２４】
照明光学装置２２は、第１レンズアレイ２２１、第２レンズアレイ２２２、偏光変換素子２２３、および重畳レンズ２２４を備える。
第１レンズアレイ２２１は、光源２１１から射出された光束の光軸Ｌ方向から見て略矩形の輪郭を有する小レンズがマトリックス状に配列された構成を有しており、光源装置２１から射出された光束を複数の部分光束に分割する。第２レンズアレイ２２２は、第１レンズアレイ２２１と略同様の構成を有しており、重畳レンズ２２４とともに、部分光束を後述する液晶パネル６１２の表面に略重畳させる。偏光変換素子２２３は、第２レンズアレイ２２２から射出されたランダム偏光光を液晶パネル６１２で利用可能な略１種類の偏光光に揃える機能を有する。
【００２５】
色分離光学装置２３は、２枚のダイクロイックミラー２３１，２３２、および反射ミラー２３３を備え、照明光学装置２２から射出された光束を赤色光（以下「Ｒ光」という）、緑色光（以下「Ｇ光」という）、青色光（以下「Ｂ光」という）の３色の色光に分離する機能を有する。
【００２６】
リレー光学装置２４は、入射側レンズ２４１、リレーレンズ２４３、および反射ミラー２４２，２４４を備え、色分離光学装置２３で分離されたＢ光をＢ光用の液晶パネル６１２Ｂまで導く機能を有する。なお、光学ユニット２は、リレー光学装置２４がＢ光を導く構成としているが、これに限らず、例えば、Ｒ光を導く構成としてもよい。
【００２７】
光学装置６は、３色の色光毎に備えられた液晶ライトバルブ６１（Ｒ光用の液晶ライトバルブを６１Ｒ、Ｇ光用の液晶ライトバルブを６１Ｇ、Ｂ光用の液晶ライトバルブを６１Ｂとする）を備える。
液晶ライトバルブ６１は、入射側偏光板６１１、光変調素子としての液晶パネル６１２（Ｒ光用の液晶パネルを６１２Ｒ、Ｇ光用の液晶パネルを６１２Ｇ、Ｂ光用の液晶パネルを６１２Ｂとする）、および射出側偏光板６１３を有している。そして、液晶ライトバルブ６１は、色分離光学装置２３で分離された各色光を画像情報に応じて変調する。
【００２８】
入射側偏光板６１１は、色分離光学装置２３で分離された色光のうち、偏光変換素子２２３で揃えられた偏光光を透過し、その偏光光と異なる偏光光を吸収して液晶パネル６１２に射出する。
液晶パネル６１２は、一対の透明なガラス基板に電気光学物質である液晶が密閉封入された構成を有し、制御部からの駆動信号に応じて、液晶の配向状態が制御され、入射側偏光板６１１から射出された色光を変調する。
射出側偏光板６１３は、入射側偏光板６１１と略同様の機能を有し、液晶パネル６１２から射出された光束のうち一定方向の偏光光を透過し、その他の光束を吸収する。光学装置６については、後で詳細に説明する。
【００２９】
クロスダイクロイックプリズム２５は、４つの直角プリズムを貼り合わせた平面視略正方形状をなし、直角プリズム同士を貼り合わせた界面には、２つの誘電体多層膜が形成されている。誘電体多層膜は、液晶ライトバルブ６１Ｒ，６１Ｂから射出された色光を反射し、液晶ライトバルブ６１Ｇから射出された色光を透過する。このようにして、クロスダイクロイックプリズム２５は、液晶ライトバルブ６１Ｒ，６１Ｇ，６１Ｂにて変調された各色光を合成して画像光を形成する。
【００３０】
投写レンズ２６は、複数のレンズを組み合わせた組レンズとして構成され、クロスダイクロイックプリズム２５にて形成された画像光をスクリーン上に拡大投写する。
【００３１】
支持部２７は、図２に示すように、クロスダイクロイックプリズム２５および光学装置６の下方に配置され、これらの光学部品を固定支持するように構成されている。そして、クロスダイクロイックプリズム２５および光学装置６が固定された支持部２７は、光学部品用筐体３０に位置決めされてネジ等によって固定される。
【００３２】
冷却ファン３１は、シロッコファンで構成されており、液晶ライトバルブ６１Ｂの側方に配置される。そして、冷却ファン３１は、吐出した空気を光学装置６に吹き付けて入射側偏光板６１１、液晶ライトバルブ６１、および射出側偏光板６１３を冷却する。
【００３３】
排気ファン３２は、軸流ファンで構成され、光学装置６を冷却して温まった空気や、電源装置の駆動に伴って温まった空気を外装筐体５の外部に排出する。
【００３４】
導入ダクト４１は、冷却ファン３１と光学装置６との間に配置され、冷却ファン３１から吐出された空気を光学装置６に導く。
排気ダクト４２は、冷却ファン３１から吐出され、光学装置６を冷却した空気を排気ファン３２に向かって導く。導入ダクト４１および排気ダクト４２については、後で詳細に説明する。
【００３５】
ここで、光学装置６、導入ダクト４１および排気ダクト４２について詳細に説明する。
先ず光学装置６について詳細に説明する。
図２は、光学装置６を模式的に示す図であり、上方から見た断面図である。
光学装置６は、図２に示すように、液晶ライトバルブ６１に加え、フレーム７、および接続部８を備えている。
【００３６】
フレーム７は、各液晶ライトバルブ６１をそれぞれ保持するように形成されている（液晶ライトバルブ６１Ｒ用のフレームを７Ｒ、液晶ライトバルブ６１Ｇ用のフレームを７Ｇ、液晶ライトバルブ６１Ｂ用のフレームを７Ｂとする）。
フレーム７は、外形が直方体状に形成され、図２に示すように、入射側偏光板６１１、液晶パネル６１２、および射出側偏光板６１３をそれぞれ離間して配置するための枠部７１，７２，７３が形成されている。
【００３７】
液晶パネル６１２は、周縁部が枠部７２に接着剤を介して固定される。入射側偏光板６１１および射出側偏光板６１３は、それぞれがガラス板６１４に貼付されて枠部７１，７３に固定される。具体的に、入射側偏光板６１１および射出側偏光板６１３は、それぞれが液晶パネル６１２に対向して配置され、ガラス板６１４の周縁部が枠部７１，７３に接着剤を介して固定される。
【００３８】
また、枠部７１，７２，７３は、液晶パネル６１２、入射側偏光板６１１および射出側偏光板６１３が固定された状態において、それぞれの光学部品の表面と沿うように形成されている。つまり、図２に示すように、入射側偏光板６１１と液晶パネル６１２との間、および液晶パネル６１２と射出側偏光板６１３との間には、空気が滑らかに流れる流路がそれぞれ形成されている。
【００３９】
具体的に、フレーム７Ｂには、入射側偏光板６１１と液晶パネル６１２Ｂとの間、および液晶パネル６１２Ｂと射出側偏光板６１３との間に流路Ｐ１１，Ｐ２１がそれぞれ形成されている。フレーム７Ｇには、入射側偏光板６１１と液晶パネル６１２Ｇとの間、および液晶パネル６１２Ｇと射出側偏光板６１３との間に流路Ｐ１３，Ｐ２３がそれぞれ形成されている。そして、フレーム７Ｒには、入射側偏光板６１１と液晶パネル６１２Ｒとの間、および液晶パネル６１２Ｒと射出側偏光板６１３との間に流路Ｐ１５，Ｐ２５がそれぞれ形成されている。
【００４０】
接続部８は、図２に示すように、フレーム７Ｂとフレーム７Ｇとの間に配置される接続部８ＢＧ、およびフレーム７Ｇとフレーム７Ｒとの間に配置される接続部８ＧＲを備え、それぞれが隣接するフレーム同士を連通させて接続する。接続部８は、熱可塑性イラストマー等の弾性部材で形成され、伸縮可能に構成されている。なお、接続部８は、熱可塑性イラストマーに限らず他の弾性を有する部材であってもよい。
【００４１】
図３、図４は、接続部８ＢＧを模式的に示す図であり、図３は、フレーム７Ｂ側からみた正面図、図４は、上方から見た断面図である。
接続部８ＢＧは、図３、図４に示すように、断面視矩形で上方から見て略Ｌ字状に形成されており、両端に連通する連通孔８１が設けられている。連通孔８１は、内部の空間を仕切る仕切り壁８２によって２つに分割されており、Ｌ字状の外側に位置する流路Ｐ１２、およびＬ字状の内側に位置する流路Ｐ２２が設けられている。
【００４２】
連通孔８１の両縁部には、外壁８４の内面側が凹部となる薄肉部（被嵌部８３）が形成されている。被嵌部８３は、内径寸法がフレーム７Ｂおよびフレーム７Ｇの端部の外形寸法より僅かに小さく設定され、フレーム７Ｂおよびフレーム７Ｇの端部を被嵌するようになっている。接続部８ＢＧは、引き伸ばされた被嵌部８３にフレーム７Ｂおよびフレーム７Ｇの端部がそれぞれ挿入され、図２に示すように、フレーム７Ｂおよびフレーム７Ｇに接続される。また、被嵌部８３近傍の肉厚は、図２に示すように、フレーム７Ｂおよびフレーム７Ｇの枠部７１，７３から飛び出さないように設定されている。
【００４３】
仕切り壁８２は、図２に示すように、接続部８ＢＧがフレーム７Ｂに接続された際に、流路Ｐ１２，Ｐ２２がフレーム７Ｂに設けられた流路Ｐ１１，Ｐ２１とそれぞれ連通するように形成されている。同様に、仕切り壁８２は、接続部８ＢＧがフレーム７Ｇに接続された際に、流路Ｐ１２，Ｐ２２がフレーム７Ｇに設けられた流路Ｐ１３，Ｐ２３とそれぞれ連通するように形成されている。
【００４４】
仕切り壁８２の肉厚は、図２に示すように、枠部７２から飛び出さないように設定されている。また、仕切り壁８２は、縁端部の肉厚より中央部の肉厚が薄く形成され、流路Ｐ１２，Ｐ２２に流れる空気を滑らかに流通させると共に、接続部８ＢＧの柔軟性が損なわれないようになっている。なお、仕切り壁８２は、ステンレス板などのバネ製を有する部材を有して構成してもよい。これによって、仕切り壁８２の歪み等を抑制し、流路Ｐ１２，Ｐ２２に安定して空気を流通させることが可能となる。
【００４５】
接続部８ＧＲは、接続部８ＢＧと略対称形状に形成され、Ｌ字状の外側に位置する流路Ｐ１４、およびＬ字状の内側に位置する流路Ｐ２４が設けられている。接続部８ＧＲは、接続部８ＢＧと同様に、被嵌部８３がフレーム７Ｇおよびフレーム７Ｒの端部に被嵌される。そして、接続部８ＧＲは、流路Ｐ１４，Ｐ２４がフレーム７Ｇに設けられた流路Ｐ１３，Ｐ２３、およびフレーム７Ｒに設けられた流路Ｐ１５，Ｐ２５にそれぞれ連通してフレーム７Ｇ、フレーム７Ｒに接続される。そして、光学装置６は、図２に示すように、クロスダイクロイックプリズム２５を囲むようにＵ字状に配置された状態（以下、「Ｕ字状態」という）となる。
【００４６】
なお、光学装置６は、接続部８がフレーム７に接続される際に、各フレーム７間の位置、つまり各液晶ライトバルブ６１の相互間の位置が粗調整される。そして、この粗調整は、３つのフレーム７が略直線上に位置する状態（以下、「Ｉ字状態」という）となるように接続部８が伸縮された状態で行われる。
【００４７】
図５は、Ｉ字状態における光学装置６を模式的に示す図である。
光学装置６は、図５に示すように、フレーム７Ｇに対してフレーム７Ｂおよびフレーム７Ｒが沿うように接続部８が伸縮されてＩ字状態となる。具体的に、光学装置６は、接続部８に外力が加えられて外壁８４のＬ字状の外側が縮み、Ｌ字状の内側が伸びてＩ字状態となる。
光学装置６は、このＩ字状態において、Ｕ字状態における各フレームの位置が適切となるように、接続部８に各フレーム７が挿入される量が調整されることによって、各液晶ライトバルブ６１の相互間の位置が粗調整される。そして、接続部８は、粗調整後に被嵌部８３とフレーム７の縁部との間に接着剤が注入され、フレーム７に強固に接続される。
【００４８】
そして、光学装置６は、Ｉ字状態からＵ字状態に戻され、クロスダイクロイックプリズム２５が固定された支持部２７に位置決めされて固定される。具体的に、光学装置６は、各フレーム７の位置、つまり各液晶ライトバルブ６１の位置がクロスダイクロイックプリズム２５に対して調整されると共に、各液晶ライトバルブ６１の相互間の位置が微調整され、各フレーム７が支持部２７に固定される。そして、接続部８は、Ｉ字状態からＵ字状態に変更される際に、接続部８の弾性力により外壁８４や仕切り壁８２の歪みが取り除かれ、Ｌ字状の状態に戻る。そして、光学装置６には、図２に示すように、流路Ｐ１１〜流路Ｐ１５に連通する第１の流路Ｐ１０、および流路Ｐ２１〜流路Ｐ２５に連通する第２の流路Ｐ２０が形成される。
【００４９】
次に、導入ダクト４１について、詳細に説明する。
導入ダクト４１は、冷却ファン３１とフレーム７Ｂとの間に配置され、冷却ファン３１から吐出された空気を光学装置６に導く。導入ダクト４１は、合成樹脂製であり、図２に示すように、両端に連通する連通孔設けられ、断面視矩形の筒状に形成されている。そして導入ダクト４１は、連通孔の一方の開口部が冷却ファン３１の空気を吐出する吐出口を覆い、他方の開口部がフレーム７Ｂの縁部を覆うように形成されている。
【００５０】
また、連通孔には、図２に示すように、中央部からフレーム７Ｂの枠部７２に向かって延出する壁部４１１が設けられている。壁部４１１は、フレーム７Ｂ側が枠部７２の肉厚と同等の肉厚を有し、冷却ファン３１側に向かって次第に細くなるように形成されている。そして、導入ダクト４１には、壁部４１１によって仕切られたフレーム７Ｂの流路Ｐ１１に連通する流路Ｐ１、およびフレーム７Ｂの流路Ｐ２１に連通する流路Ｐ２が形成されている。
【００５１】
次に、排気ダクト４２について、詳細に説明する。
排気ダクト４２は、図２に示すように、フレーム７Ｒの端部に配置される。排気ダクト４２は、合成樹脂製であり、外形形状が略Ｌ字状に形成され、両端に連通する連通孔が設けられ、断面視矩形の筒状に形成されている。そして、排気ダクト４２は、連通孔の一方の開口部がフレーム７Ｂの端部を覆うように形成され、他方の開口部が投写レンズ２６の反対側を向くように形成されている（図１参照）。
【００５２】
ここで、冷却ファン３１から吐出された空気の流れについて説明する。
図２に示すように、冷却ファン３１から吐出された空気は、導入ダクト４１内を流れ、壁部４１１によって分割されて流路Ｐ１，Ｐ２を流れる。流路Ｐ１，Ｐ２を流れた空気は、第１の流路Ｐ１０、第２の流路Ｐ２０をそれぞれ流れる。
そして、第１の流路Ｐ１０を流れた空気は、３枚の入射側偏光板６１１および液晶パネル６１２Ｂ，６１２Ｇ、６１２Ｒの表面に沿って流れ、これらの光学部品を冷却する。第２の流路Ｐ２０を流れた空気は、液晶パネル６１２Ｂ，６１２Ｇ、６１２Ｒおよび３枚の射出側偏光板６１３の表面に沿って流れ、これらの光学部品を冷却する。そして、第１の流路Ｐ１０および第２の流路Ｐ２０を流れた空気は、排気ダクト４２から排気ファン３２に向けて流れる。
このように、冷却ファン３１から吐出された空気は、光学装置６の側方から滑らかに流通し、各液晶ライトバルブ６１を順次冷却する。
【００５３】
以上説明したように、本実施形態のプロジェクター１によれば、以下の効果を得ることができる。
（１）接続部８は、隣接するフレーム７間を連通させるので、フレーム７に保持されている液晶ライトバルブ６１を効率的に冷却することが可能となる。よって、光学装置６は、温度上昇が抑制され、入射した色光を安定して変調することが可能となる。また、接続部８は、弾性部材を有して形成され、伸縮が可能なので、接続部８が接続された状態で各フレーム７を個別に移動し、各液晶ライトバルブ６１の位置をそれぞれ調整することが可能となる。よって、光学装置６は、各液晶ライトバルブ６１にて変調された各色光の位置ずれを抑制し、クロスダイクロイックプリズム２５に射出することが可能となる。
【００５４】
（２）接続部８を伸長させたり、屈曲させたりすることが可能なので、光学装置６をＵ字状態、およびＩ字状態に形成することが可能となる。これによって、Ｉ字状態において、各液晶ライトバルブ６１の位置を粗調整し、Ｕ字状態における光学装置６の微調整の簡素化を図ったり、光学装置６を収納する際の省スペース化を図ったりすることが可能となる。よって、光学装置６の製造工程の簡素化や、在庫管理の効率化等が図れる。
【００５５】
（３）接続部８は、弾性部材を有して形成されているので、Ｉ字状態からＵ字状態に変更される際に、弾性力によって外壁８４や仕切り壁８２の歪みが取り除かれ、安定して流路Ｐ１２，Ｐ２２を確保することが可能となる。
【００５６】
（４）フレーム７の端部は、被嵌部８３によって被嵌されるので、フレーム７と接続部８との間の空気の漏出が抑制される。よって、接続部８に流れる空気をより効率的に利用して液晶ライトバルブを冷却することが可能となる。また、接続部８に被嵌部８３を設けるという簡単な構成で、隣接するフレーム７同士間を容易に接続することができるので、光学装置６の製造工程の簡略化や部品費の低コスト化が図れる。
【００５７】
（５）接続部８には、仕切り壁８２が設けられているので、接続部８に流れる空気を分割し、液晶ライトバルブ６１を構成する入射側偏光板６１１、液晶パネル６１２、および射出側偏光板６１３に分配して流通させることができる。よって、液晶ライトバルブ６１をさらに効率良く冷却することが可能となる。
【００５８】
（６）プロジェクター１は、上述した光学装置６を備えているので、液晶ライトバルブ６１の効率的な冷却が可能となると共に、各色光のずれを抑制した品質の良好な画像光を投写することが可能となる。よって、プロジェクター１の長寿命化が図れる。
【００５９】
（７）冷却ファン３１から吐出された空気は、効率良く液晶ライトバルブ６１に導かれるので、冷却ファン３１の回転数を下げることが可能となる。また、冷却ファン３１から吐出された空気は、滑らかに第１の流路Ｐ１０および第２の流路Ｐ２０を流れるので、乱流による風切り音等の抑制が可能となる。よって、プロジェクター１の低騒音化が図れる。
【００６０】
（８）冷却ファン３１は、光学装置６の側方に配置され、冷却ファン３１から吐出された空気は、光学装置６の側方から滑らかに流通し、各液晶ライトバルブ６１を順次冷却する。これによって、光学装置６の上方、および下方の省スペースが可能となるのでプロジェクター１の薄型化が図れる。
【００６１】
なお、前記実施形態は、以下のように変更してもよい。
（変形例１）
前記実施形態の接続部８の外壁８４の一部を蛇腹状に形成してもよい。
図６は、変形例１の接続部１８のうちフレーム７Ｂとフレーム７Ｇとの間に配置される接続部１８ＢＧを模式的に示す図である。
図６に示すように、接続部１８ＢＧは、蛇腹状に形成された伸縮自在の蛇腹部１８５を有しており、この蛇腹部１８５は、平面視Ｌ字状の外壁１８４の屈曲部周辺に形成されている。接続部１８ＢＧは、蛇腹部１８５が伸縮されることによって、図６に示すＬ字状の状態から略直線上に伸長される状態に容易に変更できるようになっている。
【００６２】
また、接続部１８ＢＧには、接続部８ＢＧと同様に、フレーム７Ｂに形成された流路Ｐ１１、Ｐ２１、およびフレーム７Ｇに形成された流路Ｐ１３、Ｐ２３にそれぞれ連通する流路Ｐ１２０，Ｐ２２０が設けられている。
図示は省略するが、フレーム７Ｇとフレーム７Ｒとの間に配置される接続部１８ＧＲは、接続部１８ＢＧと略対称形状に形成され、蛇腹部１８５を有している。そして、光学装置６は、接続部１８が伸縮されることによって、Ｕ字状態とＩ字状態とが容易に可能になっている。
【００６３】
このように、接続部１８は、蛇腹部１８５を有しているので、部材の伸縮に加えて蛇腹部１８５という形状よる伸縮によってより柔軟性が増す。よって、接続部１８に接続されている各フレーム７を移動させることがさらに容易となるので、各液晶ライトバルブ６１の位置調整作業が向上し、光学装置６の製造工程の簡素化が図れる。
【００６４】
（変形例２）
前記実施形態の接続部８の外壁の一部に周囲の部分よりも肉厚の薄い薄肉部を形成してもよい。
図７は、変形例２の接続部２８のうちフレーム７Ｂとフレーム７Ｇとの間に配置される接続部２８ＢＧを模式的に示す図である。
図７に示すように、接続部２８ＢＧには、Ｌ字状の屈曲部周辺の外壁２８４に周囲の部分よりも肉厚の薄い薄肉部２８５が形成されている。また、接続部２８ＢＧには、接続部８ＢＧと同様に、フレーム７Ｂに形成された流路Ｐ１１、Ｐ２１、およびフレーム７Ｇに形成された流路Ｐ１３、Ｐ２３にそれぞれ連通する流路Ｐ１２００，Ｐ２２００が設けられている。
【００６５】
具体的に、薄肉部２８５は、外壁２８４の内面が滑らかに形成され、外面に凹部が設けられることによって形成されている。そして、薄肉部２８５は、接続部２８ＢＧの内部に流れる空気の方向（流れ方向）、つまり流路Ｐ１２００，Ｐ２２００に流れる空気の方向と交差する方向に沿って設けられている。
図示は省略するが、フレーム７Ｇとフレーム７Ｒとの間に配置される接続部２８ＧＲは、接続部２８ＢＧと略対称形状に形成され、薄肉部２８５を有している。
【００６６】
このように、接続部２８は、流れ方向と交差する方向に沿って形成された薄肉部２８５を有しているので、部材の柔軟性に加え、流れ方向および流れ方向に対して交差する方向の柔軟性が増す。よって、各液晶ライトバルブ６１の位置調整作業が向上し、光学装置６の製造工程の簡素化が図れる。また、接続部２８は、外壁２８４の内面が滑らかに形成されているので、内部に流れる空気の乱流等が抑制され、効率よく液晶ライトバルブ６１を冷却することが可能となる。
【００６７】
（変形例３）
支持部を回動できるように構成してもよい。図８は、変形例３の支持部２７０および光学装置６を模式的に示す図である。図８に示すように、支持部２７０は、支持本体部２７１、Ｂ側支持部２７２、およびＲ側支持部２７３を備えている。
支持本体部２７１は、クロスダイクロイックプリズム２５、およびフレーム７Ｇを固定するように構成されている。Ｂ側支持部２７２は、フレーム７Ｂを固定し、端部近傍が支持本体部２７１に軸支されて回動できるように構成されている。同様に、Ｒ側支持部２７３は、フレーム７Ｒを固定し、端部近傍が支持本体部２７１に軸支されて回動できるように構成されている。
【００６８】
光学装置６は、図８（ａ）に示すように、Ｂ側支持部２７２およびＲ側支持部２７３が略直線上に沿うように回動された状態の支持部２７０に、Ｉ字状態で固定される。その後、光学装置６は、図８（ｂ）に示すように、Ｂ側支持部２７２とＲ側支持部２７３とが対向するように回動されてＵ字状態で配置される。
このように、支持部２７０を回動できるように構成することで、光学装置６の製造および光学装置６をクロスダイクロイックプリズム２５に配置する作業を一連の作業として構成できるので製造工程の簡略化が図れる。
【００６９】
（変形例４）
前記実施形態の支持部２７は、フレーム７の下方に位置するように構成されているが、クロスダイクロイックプリズム２５とフレーム７とが対向する部位に支持部を配置するように構成してもよい。
【００７０】
（変形例５）
液晶パネル６１２の光束が入射する入射側端面、および光束が射出される射出側端面に防塵ガラスをそれぞれ配置するよう構成してもよい。
また、前記実施形態の液晶ライトバルブ６１は、透過型を用いているが、反射型の液晶ライトバルブを利用したものであってもよい。
【００７１】
（変形例６）
前記実施形態の光源装置２１は、放電型の光源２１１を採用しているが、レーザーダイオード、ＬＥＤ（Light Emitting Diode）、有機ＥＬ（Electro Luminescence）素子、シリコン発光素子などの各種固体発光素子で構成してもよい。
【符号の説明】
【００７２】
１…プロジェクター、２…光学ユニット、６…光学装置、７，７Ｒ，７Ｇ、７Ｂ…フレーム、８，８ＢＧ，８ＧＲ，１８，１８ＢＧ，１８ＧＲ，２８，２８ＢＧ，２８ＧＲ…接続部、２５…クロスダイクロイックプリズム、２６…投写レンズ、２７，２７０…支持部、３１…冷却ファン、３２…排気ファン、４１…導入ダクト、４２…排気ダクト、６１，６１Ｒ，６１Ｇ，６１Ｂ…液晶ライトバルブ、８１…連通孔、８２…仕切り壁、８３…被嵌部、８４，１８４，２８４…外壁、１８５…蛇腹部、２１１…光源、２７１…支持本体部、２７２…Ｂ側支持部、２７３…Ｒ側支持部、２８５…薄肉部、６１１…入射側偏光板、６１２，６１２Ｒ，６１２Ｇ、６１２Ｂ…液晶パネル、６１３…射出側偏光板、Ｐ１０…第１の流路、Ｐ２０…第２の流路。
【図１】
2011075777.tif 000003
【図２】
2011075777.tif 000004
【図３】
2011075777.tif 000005
【図４】
2011075777.tif 000006
【図５】
2011075777.tif 000007
【図６】
2011075777.tif 000008
【図７】
2011075777.tif 000009
【図８】
2011075777.tif 000010